(57)【要約】【課題】  電子ペーパー式表示手段を用いて構成される表示装置を有する遊技機において、電子ペーパー式表示手段における表示情報の描き替えを合理的に行うのに有効な技術を提供する。【解決手段】  遊技盤面に表示装置が設けられたパチンコにおいて、液晶表示器と、電子ペーパー式表示器１２２とを用いて表示装置を構成する。電子ペーパー式表示器１２２は、表示情報を描き替える際に電子ペーパー１２３の第１接点１２３ｂと描き替えヘッド１２５の第２接点１２５ａとが接触し、それ以外は第１接点１２３ｂと第２接点１２５ａとの接触状態が解除される構成になっている。【選択図】      図２
2005152374.tif 000002
【特許請求の範囲】
【請求項１】
表示装置を有する遊技機であって、
表示装置は、表示情報を描き替え表示可能な電子ペーパー式表示手段と、前記電子ペーパー式表示手段の描き替え用接点に接触した接触状態で表示情報を描き替える描き替え手段と、前記電子ペーパー式表示手段を駆動制御可能な駆動制御手段とを備え、
前記描き替え手段は、前記描き替え用接点に接触した接触状態と、当該接触が解除された非接触状態とに設定可能に構成されていることを特徴とする遊技機。
【発明の詳細な説明】
【技術分野】
【０００１】
本発明は、表示装置を有する遊技機の構成に関する技術である。
【背景技術】
【０００２】
従来、スロットマシンのような遊技機において、電子ペーパーを用いて表示を行う技術が公知である（例えば、特許文献１参照。）。この特許文献１に記載のスロットマシンでは、この遊技機の仕様に関する仕様情報を表示する表示部分（前面パネル）を電子ペーパーを用いて構成し、当該表示部分に表示されている仕様情報を、遊技機のリユース時やリサイクル時に新たな仕様情報に変更するように構成されている。
ところで、上記のように電子ペーパーを用いて表示を行う表示装置を備えた遊技機においては、電子ペーパーにおける表示情報の描き替えを合理的に行うのに有効な表示装置の具体的構成に対する要請がある。
【特許文献１】特開２００３−１７５１５０号公報
【発明の開示】
【発明が解決しようとする課題】
【０００３】
そこで、本発明では、電子ペーパー式表示手段を用いて構成される表示装置を有する遊技機において、電子ペーパー式表示手段における表示情報の描き替えを合理的に行うのに有効な技術を提供することを課題とする。
【課題を解決するための手段】
【０００４】
前記課題を解決するために、本発明が構成される。なお、本明細書でいう「遊技機」としては、パチンコ機、アレンジボール遊技機、スロットマシンなどが典型的なものである。
【０００５】
（請求項１に記載の発明）
請求項１に記載の遊技機は、少なくとも表示装置を備えている。
表示装置は、表示情報を表示する機能を有する装置であり、表示手段と当該表示手段における表示態様を制御する制御手段などによって構成される。表示情報としては、遊技に関与する遊技情報や、遊技には直接関与しない装飾用の情報などがある。本発明では、この表示装置が、電子ペーパー式表示手段、描き替え手段、駆動制御手段を少なくとも用いて構成される。必要に応じ、電子ペーパー式表示手段に加えて電子ペーパー式表示手段以外の表示器を表示装置に適宜組み込むこともできる。
電子ペーパー式表示手段は、表示情報を描き替え表示可能な機能を有する表示手段であり、典型的には既知の電子ペーパーを用いて構成される表示媒体である。この電子ペーパーとしては、ツイスティングボール方式、マイクロカプセル型電気泳動方式、水平移動型電気泳動方式、電子粉流体方式などが用いられる。このような電子ペーパーは、情報を描き替え表示可能であるという特徴や、柔軟性があるという特徴、また一旦描き込まれた情報を表示する際に表示状態を維持するための通電を必要としないという特徴を有する。本発明の「電子ペーパー式表示手段」には、電子ペーパーを用いた構成のみならず、電子ペーパーと同様の特徴を有する表示媒体をも含まれる。
描き替え手段は、電子ペーパー式表示手段において表示の情報を描き替える機能を有する手段であり、特に当該描き替え手段が電子ペーパー式表示手段の描き替え用接点に接触することによって表示情報を描き替える。すなわち、描き替え手段が電子ペーパー式表示手段に表示情報を描き込む際に既に描き込まれている表示情報が新たな表示情報に更新されることとなる。このような構成では、描き替え手段が描き替え用接点に接触するのみで電子ペーパー式表示手段全体に表示される表示情報が更新されるため、表示情報の描き替えに時間を要しない。本発明では、特に描き替え手段は、接触状態と非接触状態とに少なくとも設定可能な構成を有する。描き替え手段の接触状態では、電子ペーパー式表示手段の表示情報を描き替えるべく当該描き替え手段が描き替え用接点に接触した状態となる。また、描き替え手段の非接触状態では、描き替え手段が描き替え用接点に接触した状態が解除される。
駆動制御手段は、電子ペーパー式表示手段を機械的に駆動制御可能な機能を有する手段である。駆動制御手段を介して電子ペーパー式表示手段が機械的に駆動されることによって、表示情報が表示された表示部の位置を変更することが可能となる。これにより、電子ペーパー式表示手段において表示された情報の変動表示可能とされる。なお、この駆動制御手段による電子ペーパー式表示手段の「駆動」に関しては、電子ペーパー式表示手段自体を巻き取りないし巻き出す動作、ドラム状ないしベルト状に形成された電子ペーパー式表示手段を回転させる動作、電子ペーパー式表示手段自体をスライドさせる動作などが含まれる。
【０００６】
通常、電子ペーパー式表示手段が駆動式に構成される場合には、電子ペーパー式表示手段が駆動される際に描き替え手段との接触により描き替え用接点に磨耗が発生し、耐久性が低下するという問題が懸念される。そこで、本発明では、描き替え手段を接触状態と非接触状態の両方の状態に設定可能としたのである。本発明のこのような構成によれば、描き替え用接点における電子ペーパー式表示手段側及び描き替え手段側の磨耗の発生を防止することができ、電子ペーパー式表示手段における表示情報の描き替えを合理的に行うことが可能となる。なお、描き替え手段を介して電子ペーパー式表示手段に一旦描き込まれた情報は、次に描き替えを行うまで通電することなく表示状態が維持されるため、描き替え手段が非接触状態に設定されても電子ペーパー式表示手段における情報の表示は継続されることとなる。
【０００７】
本発明の表示装置の典型的な構成としては、電子ペーパー式表示手段と、当該電子ペーパー式表示手段とは異なる表示手段を組み合わせた複合型の装置とするのが好ましい。具体例としては、電子ペーパー式表示手段と液晶型の表示器やＥＬ型の表示器とを組み合わせて複合型の表示装置を構成することができる。このとき、電子ペーパー式表示手段や別の表示手段の設置数は、必要に応じて適宜変更可能である。
【発明の目的及び効果】
【０００８】
以上のように、「電子ペーパー式表示手段を用いて構成される表示装置を有する遊技機において、電子ペーパー式表示手段における表示情報の描き替えを合理的に行うのに有効な技術を提供する。」という目的に対し、
本発明によれば、「電子ペーパー式表示手段を用いて表示装置を構築し、しかも電子ペーパー式表示手段の描き替え用接点に接触した接触状態で表示情報を描き替える描き替え手段を、接触状態と、当該接触が解除された非接触状態とに設定されるように構成したため、電子ペーパー式表示手段が駆動される場合に描き替え手段を非接触状態に設定することによって、描き替え手段と描き替え用接点との接触による磨耗の発生を防止し、耐久性を向上させることが可能とされる。」という効果を奏することとなる。
【発明を実施するための最良の形態】
【０００９】
以下に、本発明の「遊技機」の一実施の形態であるパチンコ機につき図面を参照しつつ詳細に説明する。
まず、図１〜図３に基づいて、本実施の形態であるパチンコ機１０１の構成を説明する。ここで、図１は本実施の形態のパチンコ機１０１の遊技盤１０３の全体構成を示す図である。図２は図１中の電子ペーパー表示器１２２の構成の概要を示す図である。図３はパチンコ機１０１の電装システムを示す図である。
【００１０】
図１に示すパチンコ機１０１は、いわゆる「第１種パチンコ機」と呼称される機種のパチンコ機である。このパチンコ機１０１の遊技盤１０３の表面に形成された遊技領域１０５には、第１種始動口１１０、表示装置１２０、大入賞口（図示省略）を開閉する開閉部材１１２、通過口１１３、風車１１４、各種の一般入賞口１１５、多数の遊技釘１１６等が配置されている。風車１１４は、遊技球の流下経路を、例えば風車１１４の右側ないし左側へと変える機能を有する。一般入賞口１１５は、一般入賞口センサ１４６を備え、当該一般入賞口１１５に入賞した遊技球が一般入賞口センサ１４６によって検出されると、入賞した遊技球の個数にしたがって賞球を付与する。遊技釘１１６は、遊技球の流下態様（流下方向、流下時間等）に影響を与える釘であり、遊技盤１０３面の必要箇所に多数配置されている。
【００１１】
表示装置１２０は、液晶表示方式の液晶表示器（ＬＣＤ）１２１と、この液晶表示器１２１の上方に配置される電子ペーパー表示器１２２とが組み合わせられた複合型の表示手段として構成される。この表示装置１２０が、本発明における「表示装置」に対応している。
液晶表示器１２１及び電子ペーパー表示器１２２は、第１種始動口１１０に遊技球（パチンコ球）が入賞し、第１種始動口１１０に入賞した遊技球（パチンコ球）が始動口センサ１４０によって検出されると、所定数の賞球が付与されるとともに、大当たりに関与する図柄や文字、背景等の変動を開始する。大当たりの場合は、液晶表示器１２１及び電子ペーパー表示器１２２の表示図柄によって大当たり図柄配列を形成して表示するとともに、開閉部材１１２が開閉動作される大当たり遊技状態となる。開閉部材１１２は、ソレノイド１６０によって開閉制御される。開閉部材１１２が開放された状態で大入賞口に入賞した遊技球は、大入賞口センサ１４４によって検出され。通過口１１３は、通過口センサ１４２を備え、当該通過口１１３に遊技球が通過したことが通過口センサ１４２によって検出される。
【００１２】
ここで、電子ペーパー表示器１２２の具体的な構成の一例を図２を参照しながら説明する。
図２に示すように、リール状に形成された電子ペーパー１２３、モータ１２４、描き替えヘッド１２５、描き替えヘッド用ソレノイド１２６、接続コード１２７等を主体として構成されている。
【００１３】
電子ペーパー１２３は、いわゆる「電子ペーパー」と称呼される既知の構成の表示手段であり、柔軟性を有する薄板状であるとともに、表示している情報を新たな情報に描き替えて表示可能な表示手段である。また、この電子ペーパー１２３は、情報の表示に必要な電力が、情報の描き替え時にのみ必要とされる表示手段である。この電子ペーパー１２３には、その内周面に第１接点１２３ｂが設けられており、この第１接点１２３ｂに描き替えヘッド１２５側の第２接点１２５ａが接触することによって表示面１２３ａの表示情報が描き替えられる（更新される）構成になっている。すなわち、電子ペーパー１２３が本発明における「電子ペーパー式表示手段」に対応しており、第１接点１２３ｂが本発明における「描き替え用接点」に対応している。この電子ペーパーとしては、ツイスティングボール方式、マイクロカプセル型電気泳動方式、水平移動型電気泳動方式、電子粉流体方式などを用いることができる。
【００１４】
モータ１２４は、そのモータ軸１２４ａが、リール状の電子ペーパー１２３と連結されており、当該電子ペーパー１２３を図２中の矢印１０方向ないし矢印２０方向に回転動作させる機能を有するモータである。このモータ１２４が作動することによって電子ペーパー１２３が機械的に駆動制御されることとなる。このモータ１２４が、本発明の「駆動制御手段」を構成する。
【００１５】
描き替えヘッド１２５は、回転軸１２５ｂを中心に回転動作可能となっており、通常時には、付勢手段（図示省略）を介して第２接点１２５ａが電子ペーパー１２３の内周面から離間した初期位置（非接触位置）に設定される構成になっている。この描き替えヘッド１２５には、接続コード１２７を通じて描き替え信号が伝達されるようになっている。この描き替えヘッド１２５が、本発明における「描き替え手段」を構成している。
なお、描き替えヘッド１２５を介して電子ペーパー１２３に表示された表示情報は、電子ペーパー表示器１２２の表示窓１２２ａを通じて遊技者に視認可能となる。図２では、表示窓１２２ａを通じて図柄「７」が視認可能である状態を示している。
【００１６】
描き替えヘッド用ソレノイド１２６は、描き替えヘッド１２５を駆動する機能を有する手段であり、描き替えヘッド１２５との間を往復動作可能な押圧部１２６ａを備えている。描き替えヘッド用ソレノイド１２６が作動して押圧部１２６ａが描き替えヘッド１２５の被押圧部を押圧動作すると、描き替えヘッド１２５は付勢手段（図示省略）による付勢力に抗して初期位置（非接触位置）から回転軸１２５ｂを中心に回転動作する構成になっている。これにより、非接触位置にある第２接点１２５ａは電子ペーパー１２３の内周面に近接するように動作し、最後は電子ペーパー１２３の内周面に接触する接触位置まで移動することが可能とされる。
【００１７】
次に、本実施の形態に係るパチンコ機１０１の電装システムを図３を参照しながら説明する。
図３に示すように、本実施の形態に係るパチンコ機１０１は、概略的に見て、ＡＣ電源に接続された電源装置１３０に中継基板１３２を介して接続された主制御装置１５０、および副制御装置１５２を主体として構成される。主制御装置１５０内には、特に図示しないもののＣＰＵ（中央演算処理装置）、メモリ、入力処理回路および出力処理回路が適宜設定されている。さらに主制御装置１５０には、始動口センサ１４０、通過口センサ１４２、大入賞口センサ１４４、一般入賞口センサ１４６が接続され、これら各センサ１４０，１４２，１４４，１４６からの検出信号が適宜入力される。主制御装置１５０には、ソレノイド１６０、賞球制御部１６５が接続され、また、副制御装置１５２を介して表示制御部１６２、音制御部１６３、ランプ制御部１６４がそれぞれ接続されている。
【００１８】
表示制御部１６２には、前記の液晶表示器１２１、モータ１２４及び描き替えヘッド用ソレノイド１２６が接続されており、表示制御部１６２を介して伝達される制御信号にしたがって液晶表示器１２１における表示内容の制御、モータ１２４による電子ペーパー１２３の回転動作の制御、及び描き替えヘッド用ソレノイド１２６による描き替えヘッド１２５の駆動制御が行われる。音制御部１６３には、スピーカー類が接続されており、音制御部１６３を介して伝達される制御信号にしたがってスピーカー類における音声出力状態が制御される。ランプ制御部１６４には、各種のランプ類が接続されており、ランプ制御部１６４を介して伝達される制御信号にしたがってランプ類の点灯、点滅状態が制御される。賞球制御部１６５には、賞球の払出しを実行する賞球装置１６６が接続されており、主制御装置１６０から適宜賞球制御信号を受けて、賞球装置１６６における賞球の払い出し制御を適宜行う。さらに主制御装置１６０は、パチンコ機１０１を設置した遊技ホールに設けられたホールコンピュータ１７０に接続され、例えば大当たりの回数等といった遊技に関する営業情報を適宜出力する。
【００１９】
次に、本実施の形態に係る上記構成のパチンコ機１０１の作用を説明する。ここでは、特に表示装置１２０を構成する電子ペーパー表示器１２２の作用について説明する。
図１に示すパチンコ機１０１において、発射ハンドル装置（図示省略）によって遊技盤１０３表面の遊技領域１０５に射出された遊技球は、遊技釘によって流下態様を変えつつ遊技領域１０５を流下していく。遊技球が第１種始動口１１０に始動入賞し、当該遊技球が始動口センサ１４０によって検出されると大当たりに関する抽選が行われ、当該抽選結果に基づき液晶表示器１２１において大当たりに関与する図柄や文字、背景など（以下、「図柄等」という）の変動を開始する。大当たりの場合は、液晶表示器１２１に大当たり図柄配列が表示されるとともに、開閉部材１１２が開閉動作される大当たり遊技状態となる。反対に、はずれの場合には、液晶表示器１２１に、はずれ図柄配列が表示される。このように、液晶表示器１２１は、少なくとも大当たりやはずれの結果を表示し、更に大当たりやはずれに至る過程の情報及び大当たりやはずれの結果以外の情報をもあわせて表示するメインの表示器であり、後述する態様４及び態様５における「第２の表示器」に対応している。
【００２０】
本実施の形態では、電子ペーパー表示器１２２は、少なくとも大当たりやはずれの結果を表示するメインの表示器としての液晶表示器１２１に対し、補助的な表示器（サブの表示器）として使用されるようになっている。
具体的には、大当たりとなる可能性が高まったことが遊技者に報知される「リーチ状態」が液晶表示器１２１において形成される際に、図柄や文字などの表示情報が表示された電子ペーパー１２３がモータ１２４を介して回転駆動されて、当該表示情報が電子ペーパー表示器１２２の表示窓１２２ａに変動表示される。このときに表示窓１２２ａに表示される表示情報としては、大当たりの可能性を示す数値情報、大当たりの可能性が高まったことを示唆する図柄など、遊技に関与する遊技情報のうち、大当たりやはずれに至る過程の情報を用いることができる。一例として、液晶表示器１２１の図柄変動中に表示窓１２２ａに図柄「７」が表示されると、大当たりの可能性が高まったことが遊技者に報知されるような設定を用いることができる。表示窓１２２ａに表示されているこのような表示情報を認識した遊技者は、大当たりに対する期待感が高まる。
【００２１】
また、本実施の形態では、更に、大当たり発生後に遊技者に付与される「大当たり遊技」において行われる複数のラウンド（典型的には１６回のラウンド）のラウンド中ないしラウンドの合間に、図柄や文字などの表示情報が表示された電子ペーパー１２３がモータ１２４を介して回転駆動されて、当該表示情報が電子ペーパー表示器１２２の表示窓１２２ａに変動表示される。このときに表示窓１２２ａに表示される表示情報としては、通常時において液晶表示器１２１に表示される図柄等とは異なり、大当たり遊技中においてのみ表示される図柄等を用いることができる。すなわち、電子ペーパー１２３には、遊技に関与する遊技情報のうち、大当たりやはずれの結果以外の情報が表示されることとなる。従って、このような表示情報を、各ラウンド毎に切り換えて表示窓１２２ａに表示させることによって、大当たり遊技が単調になるのを防止することが可能となる。
【００２２】
ここで、上記のような「リーチ状態」や「大当たり遊技状態」における電子ペーパー表示器１２２の動作を、図４及び図５を参照しながら説明する。図４は、電子ペーパー表示器１２２の構成の概要を示す図であって、電子ペーパー１２３への表示情報描き替え時の状態を示す。図５は、電子ペーパー表示器１２２の構成の概要を示す図であって、電子ペーパー１２３への表示情報描き替え終了後に当該電子ペーパー１２３が回転動作している状態を示す。
【００２３】
図４に示すように、電子ペーパー表示器１２２が表示を行うに際し、電子ペーパー１２３は、描き替え接点位置（基準停止位置）、すなわち当該電子ペーパー１２３の第１接点１２３ｂと描き替えヘッド１２５の第２接点１２５ａとが対応する位置において回転動作を停止する。また、このとき描き替えヘッド用ソレノイド１２６が作動して、押圧部１２６ａが描き替えヘッド１２５の被押圧部を押圧動作する。これにより、描き替えヘッド１２５は初期位置（非接触位置）から回転軸１２５ｂを中心に接触位置まで回転動作して、当該接触位置において第２接点１２５ａが第１接点１２３ｂと接触（当接）する。そして、接続コード１２７を通じて描き替えヘッド１２５に伝達された描き替え信号は、第２接点１２５ａ及び第１接点１２３ｂを介して電子ペーパー１２３側に伝達され、描き替えられた表示情報（図柄等）が表示面１２３ａに表示されることとなる。
【００２４】
電子ペーパー１２３において表示情報の描き替えが終了した後は、図５に示すように、描き替えヘッド用ソレノイド１２６が作動して押圧部１２６ａが描き替えヘッド１２５の被押圧部の押圧動作を解除する。これにより、描き替えヘッド１２５は回転軸１２５ｂを中心に回転動作して、第２接点１２５ａは接触位置から初期位置（非接触位置）へと復帰する（接触状態が解除される）。その後、モータ１２４が制御されてリール状の電子ペーパー１２３が図中の矢印１０方向ないし矢印２０方向へ回転動作する。これにより、電子ペーパー表示器１２２の表示窓１２２ａに、表示情報が変動表示されることとなる。
【００２５】
このように本実施の形態では、電子ペーパー表示器１２２は、メインの表示器である液晶表示器１２１の補助的な表示器であり、リール状の電子ペーパー１２３が常時は回転動作しない構成になっている。このような構成によれば、電子ペーパー１２３の回転動作が停止している間に、描き替えヘッド１２５を作動させて電子ペーパー１２３の表示情報を予め描き替え、その後の表示に備えることができる。このような構成は、電子ペーパー１２３における表示情報の描き替え速度が低い場合に特に効果的である。
【００２６】
以上のように、本実施の形態によれば、描き替えヘッド１２５の第２接点１２５ａが、電子ペーパー１２３の第１接点１２３ｂに接触するのみで表示情報が更新されるため、表示情報の描き替えに時間を要しない。
また、本実施の形態によれば、描き替えヘッド１２５の第２接点１２５ａは、電子ペーパー１２３における表示情報を描き替える以外は第１接点１２３ｂに接触しない構成であるため、電子ペーパー１２３がモータ１２４によって回転動作する際に接触によって第１接点１２３ｂや第２接点１２５ａが磨耗することがなく耐久性が向上する。
また、本実施の形態では、電子ペーパー１２３を用いて表示手段を構成しているため、表示情報を描き替えることによって、表示可能な情報量が表示領域の大きさに依存することがなく、表示領域を無限大に使用することが可能となる。
また、本実施の形態によれば、電子ペーパー１２３に一旦表示情報の描き込みを行ったあとは、次に描き替えを行うまで通電することなく表示状態を維持することが可能となるため、表示中は常に通電が必要となる液晶表示器１２１のような電気式の表示器に比して省電力となる。
【００２７】
（他の実施の形態）
なお、本発明は上記実施の形態のみに限定されるものではなく、本実施の形態に基づいた種々の応用例や変更例を想到することができる。例えば、本実施の形態を応用した以下の形態を実施することもできる。
【００２８】
上記実施の形態では、リール状の電子ペーパー１２３を回転式の駆動形態で駆動させる場合について記載したが、本発明では、別の駆動形態を用いることもできる。例えば、ドラム外周に電子ペーパー１２３が配置された回転ドラムを駆動させるとともに、回転ドラムの回転停止中においてのみ、ドラム外周の電子ペーパー１２３の接点に描き替えヘッド１２５が接触して表示情報を描き替えるような構成を用いることができる。
また、電子ペーパー１２３の駆動形態に関し、例えば、電子ペーパーが巻き出し及び巻き取りによって駆動される第１の形態や、ベルト状に形成された電子ペーパーが回転駆動される第２の形態や、電子ペーパーがスライドするスライド式の駆動形態（第３の形態）を用いてもよい。ここで、第１の形態及び第２の形態を図６〜図１０を参照しながら具体的に説明する。第１の形態の表示装置２２０の正面図が図６に示され、図６中のＡ−Ａ線断面矢視図が図７に示される。また、第２の形態の表示装置３２０の正面図が図８に示され、図８中のＢ−Ｂ線断面矢視図が図９に示され、図９における別の実施の形態が図１０に示される。これらの図において、図１〜図５に示す構成要素と同一の構成要素には同一の符号を付すものとし、当該構成要素についての詳細な説明は省略する。
【００２９】
図６及び図７に示すように、第１の形態の表示装置２２０では、液晶表示器１２１の上方に電子ペーパー表示器２２２が配置されている。この電子ペーパー表示器２２２は、電子ペーパー１２３、電子ペーパー巻き取り部２２４、描き替えヘッド１２５を主体にして構成されている。電子ペーパー巻き取り部２２４は、モータ等の駆動手段（図示省略）によって駆動されて電子ペーパー１２３の巻き出し及び巻き取りが可能な機能を有する手段である。すなわち、この形態では、電子ペーパー１２３が、電子ペーパー巻き取り部１２４を介して機械的に駆動（可動）される構成になっている。この電子ペーパー巻き取り部２２４が、本発明における「駆動制御手段」や、後述する態様２における「巻き取り手段」を構成する。
電子ペーパー巻き取り部２２４から巻き出された電子ペーパー１２３は、スリット２２７を通じて電子ペーパーガイド２２８のガイド空間２２８ａへと誘導される構成になっている。この電子ペーパー１２３が最大に巻き出された状態では、当該電子ペーパー１２３が液晶表示器１２１の前面側（図３中の左側）をカーテン状（すだれ状）に遮へいするように配置される。電子ペーパーガイド２２８は、少なくともその前面側が透明材料によって構成されており、描き替えヘッド１２５を介して表示情報が描き替えられた電子ペーパー１２３が液晶表示器１２１の前面側（遊技者側）に配置されると、遊技者は当該電子ペーパー１２３に表示された表示情報を視認することとなる。この状態が、電子ペーパー１２３の「表示状態」となる。このとき、一旦表示状態に設定された電子ペーパー１２３は、当該表示を維持するのに通電を要さない。反対に、電子ペーパー１２３が電子ペーパー巻き取り部２２４によって最大に巻き取られた状態では、当該電子ペーパー１２３による液晶表示器１２１の前面の遮へいが解除される。このとき、遊技者は液晶表示器１２１に表示された表示情報を視認することとなる。この状態が、電子ペーパー１２３の「待機状態」となる。
【００３０】
上記構成の表示装置２２０において、電子ペーパー表示器２２２が表示を行うに際し、電子ペーパー１２３は「待機状態」に設定される一方、描き替えヘッド１２５は初期位置（非接触位置）から動作して電子ペーパー１２３側の接点（図２中の第１接点１２３ｂと同様の接点）と接触（当接）する。電子ペーパー１２３において表示情報の描き替えが終了した後は、描き替えヘッド１２５は接点との接触位置から初期位置（非接触位置）へと復帰するように動作する。そして、描き替えが完了した電子ペーパー１２３は、電子ペーパー巻き取り部２２４によって巻き出されて、液晶表示器１２１の前面側（図７中の左側）をカーテン状（すだれ状）に遮へいするように配置される。
このように、第１の形態の表示装置２２０においても、本発明の特徴部分である、「描き替え用接点に接触した接触状態と、当該接触が解除された非接触状態とに設定可能な構成の描き替えヘッド（描き替え手段）」の構成を適用することができる。
【００３１】
次に、図８及び図９に示すように、第２の形態の表示装置３２０では、液晶表示器１２１の上方に電子ペーパー表示器３２２が配置されている。この電子ペーパー表示器３２２は、電子ペーパー表示器３２２を、電子ペーパー式ベルト３２４、描き替えヘッド１２５を主体にして構成されている。電子ペーパー式ベルト３２４は、無端ベルト状の電子ペーパー１２３が２つのベルト駆動体３２５の外周に掛け渡されて配置される構成を有し、ベルト駆動体３２５がモータなどの駆動手段（図示省略）によって駆動されるようになっている。すなわち、この形態では、電子ペーパー１２３がベルト駆動体３２５を介して機械的に駆動（可動）される構成になっている。このベルト駆動体３２５が、本発明における「駆動制御手段」や、後述する態様３における「ベルト駆動体」に相当する。なお、ベルト駆動体２２５の設置数として２つ以上の数を適宜選択可能である。
【００３２】
上記構成の表示装置３２０において、電子ペーパー表示器３２２が表示を行うに際し、電子ペーパー式ベルト３２４は、電子ペーパー１２３のうち表示情報が描き込まれていない部位を、当該電子ペーパー表示器３２２の前面側（遊技者側）に配置する。この状態が、電子ペーパー１２３の「待機状態」となる。この「待機状態」において、描き替えヘッド１２５は初期位置（非接触位置）から動作して電子ペーパー１２３側の接点（図２中の第１接点１２３ｂと同様の接点）と接触（当接）する。電子ペーパー１２３において表示情報の描き替えが終了した後は、描き替えヘッド１２５は接点との接触位置から初期位置（非接触位置）へと復帰するように動作する。そして、電子ペーパー１２３における描き替えが完了した電子ペーパー式ベルト３２４は、ベルト駆動体３２５を介して回転駆動されて電子ペーパー１２３のうち表示情報が描き込まれている部位が電子ペーパー表示器３２２の前面側（遊技者側）に配置される。この状態が、電子ペーパー１２３の「表示状態」となる。このとき、一旦表示状態に設定された電子ペーパー１２３は、当該表示を維持するのに通電を要さない。
このように、第２の形態の表示装置３２０においても、本発明の特徴部分である、「描き替え用接点に接触した接触状態と、当該接触が解除された非接触状態とに設定可能な構成の描き替えヘッド（描き替え手段）」の構成を適用することができる。
【００３３】
また、上記実施の形態では、液晶表示器１２１と電子ペーパー表示器１２２とを組み合わせた複合型の表示装置について記載したが、本発明では、液晶表示器１２１以外の種々の表示手段を電子ペーパー表示器１２２と組み合わせることが可能である。例えば、ＥＬ（エレクトロスミネッセンス）を用いた自発光式のＥＬ型表示器や、ドットＬＥＤのような表示器を、電子ペーパー表示器１２２と組み合わせることができる。
【００３４】
また、上記実施の形態では、電子ペーパー表示器１２２を、液晶表示器１２１の補助的な表示器として用いる場合について記載したが、本発明では、液晶表示器１２１のように大当たりの抽選結果を表示するメインの表示器の構成に、本実施の形態の電子ペーパー表示器１２２の構成を用いることもできる。具体的には、表示装置１２０を電子ペーパー表示器１２２のみを用いて構成する態様や、表示装置１２０を液晶表示器１２１及び電子ペーパー表示器１２２を用いて構成したうえで液晶表示器１２１に表示する図柄と電子ペーパー表示器１２２に表示する図柄との組み合わせによって大当たり図柄配列やはずれ図柄配列が表示される態様などがある。
なお、通常、表示部分がリール状の構成を有するメインの表示器においては、機種替え（パチンコ機におけるパネル替え）を行う際は、リール全体またはリールシートを交換する必要がある。そこで、本実施の形態のような電子ペーパー表示器１２２をメインの表示器として用い、機種替え時の初期処理として電子ペーパー１２３に表示されている図柄を新たな図柄に描き替えるようにすることで、リール全体やリールシートを交換するような作業が発生せず合理的である。
【００３５】
また、上記実施の形態では、第１種パチンコ機であるパチンコ機１０１について記載したが、第２種パチンコ機や第３種パチンコ機の構成に本発明を適用することもできる。また、パチンコ機以外の遊技機、例えばスロットマシンの構成に本発明を適用することもできる。
【００３６】
また、本発明では、電子ペーパーとして以下に示す種々の方式のものを用いることができる。例えば、ツイスティングボール方式、マイクロカプセル型電気泳動方式、水平移動型電気泳動方式、電気析出溶解方式、光書き込み方式、可逆感熱方式、可逆感光方式、電子粉流体方式などの電子ペーパーを用いることができる。
なお、ツイスティングボール方式は、２枚の透明なプラスチックシート間に２色に塗り分けた帯電ビーズを散りばめ、この帯電ビーズに外部から印加電圧を付与する方式である。また、マイクロカプセル型電気泳動方式は、カプセル中に白黒の２種類の粒子を封入した球状のカプセルを透明の基板で挟み、当該基板に印加電圧を付与する方式である。また、水平移動型電気泳動方式は、帯電黒色粒子（トナー）に印加電圧を付与し、当該帯電黒色粒子を白色電極面ないし黒色電極面に吸着させる方式である。また、電子粉流体方式は、固体と液体の両方の性質を有する電子粉流体を液晶のかわりに用いる方式である。
【００３７】
また、上記実施の形態や種々の変更の形態に鑑み、本発明では以下の態様１〜態様５に記載の構成を採り得る。
【００３８】
（態様１）
本発明では、「請求項１に記載の遊技機であって、
前記駆動制御手段は、リール状に形成された前記電子ペーパー式表示手段を回転駆動する構成であることを特徴とする遊技機。」という構成（態様１）を採り得る。
【００３９】
この態様１では、請求項１に記載の遊技機において、駆動制御手段は、リール状に形成された電子ペーパー式表示手段を回転駆動する構成になっている。
本態様１に記載の遊技機のこのような構成によれば、電子ペーパー式表示手段に表示される表示情報を描き替える一方、リール状の電子ペーパー式表示手段を回転させて表示内容を切り替える構成の表示装置が構築される。
【００４０】
（態様２）
また、本発明では、「請求項１に記載の遊技機であって、
前記駆動制御手段は、前記電子ペーパー式表示手段の巻き出し及び巻き取りが可能な巻き取り手段を用いて構成されることを特徴とする遊技機。」という構成（態様２）を採り得る。
【００４１】
この態様２では、請求項１に記載の遊技機において、駆動制御手段が巻き取り手段を用いて構成されるようになっている。この巻き取り手段は、電子ペーパー式表示手段の巻き出し及び巻き取りが可能な機能を有する手段である。
本態様２に記載の遊技機のこのような構成によれば、柔軟性を有する電子ペーパーを巻き取り式とし、待機状態では電子ペーパー巻き取り手段に巻き取って収納することができ、表示手段のコンパクト化を図るのに有効である。このようなコンパクト化された表示手段は、液晶表示器のような表示手段と組み合わせて複合型の表示装置を構築する場合に、全体の大きさを抑えるのに有効である。また、巻き取り手段から巻き出された電子ペーパー式表示手段が液晶表示器の表示領域に重なり合う構成とすることで、表示に用いる表示領域全体の大きさが低減されることとなる。また、電子ペーパー式表示手段による表示が必要なときにのみ当該電子ペーパー式表示手段を電子ペーパー巻き取り手段から巻き出す構成とすることができ合理的である。
【００４２】
（態様３）
また、本発明では、「請求項１に記載の遊技機であって、
前記駆動制御手段は、前記電子ペーパー式表示手段が複数の駆動体外周に掛け渡された無端ベルト状に配置されたベルト駆動体を用いて構成されることを特徴とする遊技機。」という構成（態様３）を採り得る。
【００４３】
この態様３では、請求項１に記載の遊技機において、駆動制御手段がベルト駆動体を用いて構成されるようになっている。このベルト駆動体は、複数（２つ以上）設けられており、当該複数のベルト駆動体の外周に、電子ペーパー式表示手段が無端ベルト状に掛け渡されて配置されるようになっている。
本態様３に記載の遊技機のこのような構成によれば、電子ペーパー式表示手段において表示情報を描き替える一方、ベルト駆動体を駆動させて表示内容を切り替える構成の表示装置が構築される。
【００４４】
（態様４）
また、本発明では、「請求項１、態様１〜態様３のいずれかに記載の遊技機であって、
前記表示装置は、前記電子ペーパー式表示手段に加えて前記電子ペーパー式表示手段とは別の第２の表示手段を備えた複合型の表示装置であることを特徴とする遊技機。」という構成（態様４）を採り得る。
【００４５】
この態様４では、請求項１、態様１〜態様３のいずれかに記載の遊技機において、表示装置が電子ペーパー式表示手段とは別の第２の表示手段を備えた複合型の表示装置となっている。すなわち、本態様４では、必要に応じ、電子ペーパー式表示手段に加えて電子ペーパー式表示手段以外の第２の表示手段を表示装置に適宜組み込むことができる。例えば、電子ペーパー式表示手段と液晶型の表示器やＥＬ型の表示器とを組み合わせて複合型の表示装置を構成することができる。
本態様４に記載の遊技機のこのような構成によれば、電子ペーパー式表示手段を別の表示手段と組み合わせることによって、表示可能な表示情報量を増やすことができ、且つコンパクト化された複合型の表示装置が構築される。
【００４６】
（態様５）
また、本発明では、「態様４に記載の遊技機であって、
前記表示装置は、前記電子ペーパー式表示手段が、前記第２の表示手段の補助的な表示手段となる構成であることを特徴とする遊技機。」という構成（態様５）を採り得る。
【００４７】
この態様５では、態様４に記載の遊技機において、電子ペーパー式表示手段を第２の表示手段の補助的な表示手段として用いる構成になっている。すなわち、本態様５の表示装置では、第２の表示手段がメイン（主）の表示器となり、電子ペーパー式表示手段が第２の表示手段に対しサブ（副）の表示器（補助的な表示手段）となる。具体的には、パチンコ機において、少なくとも大当たりやはずれの結果を表示する表示器をメインの表示器として用い、大当たりやはずれに至る過程の情報や、大当たりやはずれの結果以外の情報を表示する補助的な表示器として電子ペーパー式表示手段を用いる。もちろん、メインの表示器に、大当たりやはずれの結果に加えて、大当たりやはずれに至る過程の情報や、大当たりやはずれの結果以外の情報をもあわせて表示させることもできる。このような補助的な表示を行う電子ペーパー式表示手段は、メインの表示器に比して動作頻度が低く、動作の停止中において表示情報の描き替えが可能とされる。従って、電子ペーパー式表示手段の動作の停止中に情報を描き替え、その後の表示に備えることによって、電子ペーパー式表示手段における情報の描き替え速度が低い場合であっても対応可能である。
【図面の簡単な説明】
【００４８】
【図１】本実施の形態のパチンコ機１０１の遊技盤１０３の全体構成を示す図である。
【図２】図１中の電子ペーパー表示器１２２の構成の概要を示す図である。
【図３】パチンコ機１０１の電装システムを示す図である。
【図４】電子ペーパー表示器１２２の構成の概要を示す図であって、電子ペーパー１２３への表示情報描き替え時の状態を示す。
【図５】電子ペーパー表示器１２２の構成の概要を示す図であって、電子ペーパー１２３への表示情報描き替え終了後に当該電子ペーパー１２３が回転動作している状態を示す。
【図６】第１の形態の表示装置２２０の正面図である。
【図７】図６中のＡ−Ａ線断面矢視図である。
【図８】第２の形態の表示装置３２０の正面図である。
【図９】図８中のＢ−Ｂ線断面矢視図である。
【符号の説明】
【００４９】
１０１  パチンコ機
１０３  遊技盤
１０５  遊技領域
１１０  第１種始動口
１１２  開閉部材
１２０  表示装置
１２１  液晶表示器
１２２  電子ペーパー表示器
１２２ａ  表示窓
１２３  電子ペーパー
１２３ａ  表示面
１２３ｂ  第１接点
１２４  モータ
１２４ａ  モータ軸
１２５  描き替えヘッド
１２５ａ  第２接点
１２５ｂ  回転軸
１２６  描き替えヘッド用ソレノイド
１２６ａ  押圧部
１２７  接続コード
【図１】
2005152374.tif 000003
【図２】
2005152374.tif 000004
【図３】
2005152374.tif 000005
【図４】
2005152374.tif 000006
【図５】
2005152374.tif 000007
【図６】
2005152374.tif 000008
【図７】
2005152374.tif 000009
【図８】
2005152374.tif 000010
【図９】
2005152374.tif 000011